(57)【要約】      （修正有）【課題】原動機の回転軸と動作機器の回転軸と連結する軸継手の２軸の芯出し（センタリング）を感だけに頼らずに行うことを可能とする。【解決手段】原動機の回転軸(14)先端に設けられた主フランジ(22)および動作機器の回転軸(18)先端に設けられた従フランジ(24)からなる軸継手(26)を仮止めにより連結した状態で一体的に回転させた際に、主フランジの対向面の一点とこの点に対向する従フランジの対向面の一点との軸方向の相対距離および径方向の相対距離の変化を計測することで、原動機の回転軸の軸芯(14a)と動作機器の回転軸の軸芯(18a)との芯ずれを算出し、その値を基に動作機器または原動機の水平方向および垂直方向の向きおよび位置を調節する。【選択図】図５
2008122351.tif 000002
【特許請求の範囲】
【請求項１】
モータ、エンジンなどの原動機（１２）の回転軸（１４）と該原動機の回転動力を利用して稼動する動作機器（１６）の回転軸（１８）とを、原動機の回転軸先端に設けられた主フランジ（２２）と動作機器の回転軸先端に設けられた従フランジ（２４）とを対向させて固定する構造の軸継手（２６）を用いて連結する際の軸継手のセンタリング方法であって、
前記主フランジおよび前記従フランジを仮止めにより連結した状態で一体的に回転させた際に、主フランジの対向面（２３）の一点とこの点に対向する従フランジの対向面の一点との軸方向の相対距離および径方向の相対距離の変化を計測することで、原動機の回転軸の軸芯（１４ａ）と動作機器の回転軸の軸芯（１８ａ）との芯ずれを算出し、その値を基に動作機器または原動機の水平方向および垂直方向の向きおよび位置を調節する、ことを特徴とする軸継手のセンタリング方法。
【請求項２】
モータ、エンジンなどの原動機（１２）の回転軸（１４）と該原動機の回転動力を利用して稼動する動作機器（１６）の回転軸（１８）とを、原動機の回転軸先端に設けられた主フランジ（２２）と動作機器の回転軸先端に設けられた従フランジ（２４）とを対向させて固定する構造の軸継手（２６）を用いて連結する際の芯出しに使用するための軸継手のセンタリング装置であって、
前記主フランジの外周縁との径方向距離を計測する垂直測距センサ（３２）と、
前記主フランジの外周縁との軸方向距離を計測する水平測距センサ（３４）と、
前記従フランジの外周縁に固定され、前記垂直測距センサおよび前記水平測距センサを保持するセンサ取付治具（３６）と、
前記垂直測距センサおよび前記水平測距センサによって計測した径方向距離および軸方向距離を表示する表示装置（３８）と、を備える、ことを特徴とする軸継手のセンタリング装置。
【請求項３】
モータ、エンジンなどの原動機（１２）の回転軸（１４）と該原動機の回転動力を利用して稼動する動作機器（１６）の回転軸（１８）とを、原動機の回転軸先端に設けられた主フランジ（２２）と動作機器の回転軸先端に設けられた従フランジ（２４）とを対向させて固定する構造の軸継手（２６）を用いて連結する際の芯出しに使用するための軸継手のセンタリング装置であって、
前記従フランジの外周縁との径方向距離を計測する垂直測距センサ（３２）と、
前記従フランジの外周縁との軸方向距離を計測する水平測距センサ（３４）と、
前記主フランジの外周縁に固定され、前記垂直測距センサおよび前記水平測距センサを保持するセンサ取付治具（３６）と、
前記垂直測距センサおよび前記水平測距センサによって計測した径方向距離および軸方向距離を表示する表示装置（３８）と、を備える、ことを特徴とする軸継手のセンタリング装置。
【請求項４】
前記主フランジ（２２）および前記従フランジ（２４）の外周縁の端部は対向面（２３）と反対側に直角に屈曲してリング状の鍔部（２７）を形成しており、
前記センサ取付治具（３６）は、前記鍔部を径方向に把持するクランプ部（４２）と、該クランプ部から伸長し前記垂直測距センサ（３２）および前記水平測距センサ（３４）を主フランジと非接触に近接して保持するＬ字型のセンサ取付部（４４）と、からなる、ことを特徴とする請求項２又は３に記載の軸継手のセンタリング装置。
【発明の詳細な説明】
【技術分野】
【０００１】
本発明は、モータ、エンジンなどの原動機の回転軸と、原動機の回転動力を利用して稼動するポンプや発電機などの動作機器の回転軸とを、それぞれの回転軸の先端に設けたフランジを対向させた状態で接続することで連結する軸継手において、２軸の芯出し（センタリング）を経験や感だけに頼らずに行うための軸継手のセンタリング方法および軸継手のセンタリング装置に関する。
【背景技術】
【０００２】
モータなどの原動機の回転軸とポンプなどの動作機器の回転軸を軸継手（カップリング）を用いて連結する場合、それぞれの回転軸の芯出し（センタリング）を行うことは非常に重要である。これはもし芯出しが完全に行われておらずその回転軸の軸芯にずれがあると、エネルギーロスが生じるだけでなく、振動の発生によって原動機や動作機器に不具合や破損を招きその耐用年数を極端に縮めることとなるためである。なお芯出しの僅かなずれを吸収するために、軸継手を構成するフランジ同士を固定するための複数のボルト穴にゴム管を配置したり、フランジ間にゴムを挟止することも多いが、その場合であっても芯出しを完全に行うことは重要である。これは芯出しにずれがあると、フランジ間に挟止等されたゴムに圧縮力や引張力がモータの回転中繰り返し作用し、ゴムの早期劣化を招くためである。
【０００３】
従来より軸継手の芯出しは、軸継手に例えば特許文献１に記載されているような治具とこれに取り付けたダイヤルゲージとを用いて軸芯のずれを数点において計測し、その計測値を基に、モータの脚をなす固定座を水平方向にずらすとともに固定座の下に適当な厚みのライナー（金属薄板）を挟み込むことで行われていた。
【特許文献１】特開２００２−１２２４０６号公報
【発明の開示】
【発明が解決しようとする課題】
【０００４】
ここで芯出し作業におけるモータの高さおよびポンプ回転軸軸芯からの垂直方向の傾斜角の調整は、適当な厚みのライナーを選択し、選択したライナーをモータの固定座の下に挟み込んだ後に、その結果を再びダイヤルゲージで計測するという作業を、軸芯のずれが許容値以内になるまで繰り返すことによりよって行われていた。そのためこのライナー調整は経験や感に頼るところが多く、また調整作業に時間を要するといった問題があった。
【０００５】
本発明はかかる問題点を解決するために創案されたものである。すなわち本発明の目的は、  原動機の回転軸と動作機器の回転軸とを軸継手を用いて連結する際に、２軸の芯出し（センタリング）を経験や感だけに頼らずに行うための軸継手のセンタリング方法および軸継手のセンタリング装置を提供することにある。
【課題を解決するための手段】
【０００６】
上記目的を達成するため請求項１に記載の発明は、モータ、エンジンなどの原動機（１２）の回転軸（１４）と該原動機の回転動力を利用して稼動する動作機器（１６）の回転軸（１８）とを、原動機の回転軸先端に設けられた主フランジ（２２）と動作機器の回転軸先端に設けられた従フランジ（２４）とを対向させて固定する構造の軸継手（２６）を用いて連結する際の軸継手のセンタリング方法であって、前記主フランジおよび前記従フランジを仮止めにより連結した状態で一体的に回転させた際に、主フランジの対向面（２３）の一点とこの点に対向する従フランジの対向面の一点との軸方向の相対距離および径方向の相対距離の変化を計測することで、原動機の回転軸の軸芯（１４ａ）と動作機器の回転軸の軸芯（１８ａ）との芯ずれを算出し、その値を基に動作機器または原動機の水平方向および垂直方向の向きおよび位置を調節する、ことを特徴とする。
【０００７】
また請求項２および３に記載の発明は、モータ、エンジンなどの原動機（１２）の回転軸（１４）と該原動機の回転動力を利用して稼動する動作機器（１６）の回転軸（１８）とを、原動機の回転軸先端に設けられた主フランジ（２２）と動作機器の回転軸先端に設けられた従フランジ（２４）とを対向させて固定する構造の軸継手（２６）を用いて連結する際の芯出しに使用するための軸継手のセンタリング装置であって、前記主フランジ（又は従フランジ）の外周縁との径方向距離を計測する垂直測距センサ（３２）と、前記主フランジ（又は従フランジ）の外周縁との軸方向距離を計測する水平測距センサ（３４）と、前記従フランジ（又は主フランジ）の外周縁に固定され、前記垂直測距センサおよび前記水平測距センサを保持するセンサ取付治具（３６）と、前記垂直測距センサおよび前記水平測距センサによって計測した径方向距離および軸方向距離を表示する表示装置（３８）と、を備える、ことを特徴とする。
【０００８】
ここで請求項４に記載したように、前記主フランジ（２２）および前記従フランジ（２４）の外周縁の端部は対向面（２３）と反対側に直角に屈曲してリング状の鍔部（２７）を形成しており、前記センサ取付治具（３６）は、前記鍔部を径方向に把持するクランプ部（４２）と、該クランプ部から伸長し前記垂直測距センサ（３２）および前記水平測距センサ（３４）を主フランジと非接触に近接して保持するＬ字型のセンサ取付部（４４）と、からなる、ものが用いられる。
【発明の効果】
【０００９】
本発明の軸継手のセンタリング方法および軸継手のセンタリング装置では、原動機の回転軸先端の主フランジと動作機器の回転軸先端の従フランジとを仮止めして回転させた場合の所定位置におけるフランジ間の軸方向および径方向の距離の変化を計測することで、動作機器の軸芯に対して原動機の軸芯が垂直面内（および水平面内）でどのようにずれ、また垂直面内（および水平面内）でどのように傾いているのかを知ることができる。特にライナーを原動機の固定座の下に挟み込んで調節を行う必要があり、その調整作業に多くの時間を要していた原動機の軸芯の垂直面内での位置ずれおよび傾きの調整を、どのような厚みのライナーを選択し固定座のどの位置に入れればよいのかを容易に知ることができるため、経験や感に頼らずに迅速に芯出し作業を完了することができる。
【００１０】
なお一般に主フランジおよび従フランジは同一の形状を有し、また円盤状のフランジの外周縁の端部はその対向面と反対側に垂直に屈曲することでリング状の鍔部が形成され、すなわちフランジの対向面の裏側（フランジの回転軸側）は凹状に窪んでいるため、この鍔部を利用して垂直測距センサおよび水平測距センサを支持するためのセンサ取付治具をクランプによって取り付けることで、その着脱を容易にしつつ所定位置におけるフランジ間の軸方向および径方向の距離の変化を計測することができる。
【発明を実施するための最良の形態】
【００１１】
本発明は、モータ、エンジンなどの原動機の回転軸とポンプや発電機などの動作機器の回転軸とを、それぞれの回転軸の先端に設けたフランジを対向させて接続することで連結する軸継手において、２軸の芯出し（センタリング）を感だけに頼らずに行うための軸継手のセンタリング方法および軸継手のセンタリング装置である。以下軸継手（カップリング）の構造を簡単に説明した後に、本発明の実施の形態について説明する。
【００１２】
図１および図２は本発明のセンタリング装置が適用される軸継手の一例を示した図であり、図１は軸継手の斜視図、図２はその縦断面図（図２（ａ））および平面図（図２（ｂ））である。
なおここに説明する軸継手は後述する硬質ゴムにより振動や軸芯の僅かなずれを吸収するいわゆるフランジ形たわみ軸継手であるが、硬質ゴムを用いることなく両フランジを堅固に固定するいわゆるフランジ形固定軸継手にも本発明を適用することができる。
【００１３】
これらの図に示したように、この軸継手２６は同一形状をした２つのフランジ２２，２４を対向させた状態で複数（計６本）のボルト・ナット５１で固定する構造を有している。
両フランジ２２，２４は、例えばその外径が２１０ｍｍで厚みが３６ｍｍで６つのボルト穴５３が等間隔に形成された円盤部の中心部に、外径が１００ｍｍで高さが３５ｍｍの突起部５５が形成されており、円盤部の一面側はその外周縁と突起部５５との間が一部を除き窪んだ凹部となっている。すなわちこの円盤部には、平滑な面である対向面２３とその裏面で突起部５５が形成された回転軸面２５とがあり、その円盤部の外周縁の端部は対向面２３と反対側に垂直に屈曲することでリング状の鍔部２７を形成している。なお対向面２３の法線方向は突起部５５の軸線方向と一致していることは当然である。
この円盤部に形成された６つのボルト穴５３のうち３つのボルト穴はその内径が４０ｍｍ程度であり、このボルト穴には中心に金属円管が挿入固定された円柱形状の硬質ゴム５９が挿入される。なおボルトは実質的にはこの金属円管内に通され、また、この硬質ゴム５９が挿入される各ボルト穴５３の外周側部分の円盤部は数ミリ程度の肉厚で環状に立設している。この他の３つのボルト穴５３はその内径が１５ｍｍ程度であり、回転軸面２５に形成された凹部の底部にボルトの頭が来るようになっている。すなわち対向させた両フランジを固定する６本のボルト・ナット５１は、凹部の底部にボルトの頭が、硬質ゴム５９上にナットがくるように、その挿入方向が互い違いで取り付けられる。
ここでボルトの頭部分には挿入したボルトの空転を防ぐために非円環形の回り止めワッシャ６１が止着されている。
また突起部５５には、硬質ゴム５９を挿入するためのボルト穴５３に沿う形で弧状の切り欠きが形成されている。この突起部５５が破線で示した原動機の回転軸１４および破線で示した動作機器の回転軸１８の先端に形成された凹穴（図示せず）に嵌入されることで、軸継手２６を構成する各２２，２４フランジが回転軸１４，１８の先端に取り付けられる。なお原動機の回転軸１４の軸芯とその先端に取り付けられたフランジの回転軸の軸芯とは完全に一致し、また、動作機器の回転軸１８の軸芯とその先端に取り付けられたフランジの回転軸の軸芯とは完全に一致するようになっている。
【００１４】
以下、上述した軸継手２６を用いて２軸を連結する場合に、２軸の芯出し（センタリング）を経験や感だけに頼らずに行うために使用する本発明の軸継手のセンタリング装置の好ましい実施の形態を図面を参照して説明する。以降、原動機の回転軸１４先端に取り付けられたフランジを主フランジ２２と、動作機器の回転軸１８先端に取り付けられたフランジを従フランジ２４というものとする。
【実施例１】
【００１５】
図３は本実施例の軸継手のセンタリング装置１０の全体構成を示した概念図である。この装置は概して、主フランジ２２の外周縁との径方向距離を計測するための垂直測距センサ３２と、主フランジ２２の外周縁との軸方向距離を計測するための水平測距センサ３４と、垂直測距センサ３２および水平測距センサ３４によって計測した径方向距離および軸方向距離を表示する表示装置３８（変換器）と、計測した径方向距離および軸方向距離の値の変化から、原動機１２に固定されて脚をなす固定座６３の高さや傾き、水平方向の向きをどのように調整すれば軸継手２６のセンタリングが達成されるかを算出してこれを表示する演算表示装置６５と、従フランジ２４の外周縁の鍔部２７に固定され垂直測距センサ３２および水平測距センサ３４を保持するセンサ取付治具３６とから構成されている。
【００１６】
垂直測距センサ３２と水平測距センサ３４は一般に市販されている精密測距のための高周波磁界を利用した渦電流式センサであり、その外形は直径１ｃｍ程度の円柱形状をしており、センサに対向する面との距離を非接触に計測する。このセンサは数ミリ〜数センチ程度の距離を計測するためのもので、その計測誤差はミクロン単位である。
【００１７】
表示装置３８は各センサ３２，３４で計測した距離をセンサ信号として受信し、これを処理してその表示画面に数値として表示する変換器である。
【００１８】
演算表示装置６５は表示装置３８に接続されたノートパソコンや専用の処理装置であり、表示装置３８から伝達されたデジタル信号を解析し計算を実行することで、原動機１２に固定された固定座６３の高さや傾き、水平方向の向きの調整量を求め、これを表示画面に表示する。なお表示装置３８と演算表示装置６５とを一体化してやることも勿論可能である。
【００１９】
センサ取付治具３６は、センサ取付治具のみを示した斜視図である図４および軸継手２６に取り付けた状態を示した斜視図である図５からも分かるように、コの字型のクランプ部４２とクランプ部の一端から伸長するＬ字型のセンサ取付部４４等から構成されている。
クランプ部４２には、対向する面の一方に治具取付ボルト６７を螺合するためのネジ溝が彫られたネジ穴が形成されている。
クランプ部４２のネジ穴が形成された側の一端面から軸方向に伸長し回転軸側に屈曲するＬ字型のセンサ取付部４４には、直交する各面に円柱形状のセンサ（垂直測距センサ３２および水平測距センサ３４）を嵌入固定するための貫通孔６９が形成されている。
センサ取付治具３６の固定は、従フランジ２４の鍔部２７にクランプ部４２を挿し込み、治具取付ボルト６７によって鍔部２７を挟止することで行われる。従フランジ２４にセンサ取付治具３６を固定すると、センサ取付部４４は主フランジ２２の外周縁と非接触にかつこれを囲うように配置されることとなる。
【００２０】
次に以上に説明した軸継手のセンタリング装置１０を用いた軸継手のセンタリング方法について説明する。なお原動機１２はそのケーシングに金属脚である固定座６３が一体型鋳造や溶接構造で設けられており、この固定座を脚として重厚な台座７１上に載置されている。一方動作機器１６は、予め重厚な台座７１上に載置・固定されている。
【００２１】
ます準備段階として、段階はセンサ取付治具３６を従フランジ２４に取り付ける前に、従フランジ２４の対向面２３と主フランジ２２の対向面２３を対向させ、おおよその目安で回転軸１４，１８の軸芯１４ａ，１８ａのセンタリングを行う。
原動機１２の回転軸１４の先端部に取り付けられた主フランジ２２の対向面２３が、動作機器１６の回転軸１８の先端部に取り付けられた従フランジ２４の対向面２３とおおよそ平行に対向するように原動機１２の高さや傾き、水平方向の向きを調整した後、６つのボルト穴５３のうちの１つにボルトを通して緩くナットを締め、仮止めによって両フランジ２２，２４を連結する。
【００２２】
次に、従フランジ２４の鍔部２７にセンサ取付治具３６のクランプ部４２を挿し込み、治具取付ボルト６７を締め付けることによって鍔部２７を挟止し、従フランジ２４にセンサ取付治具３６を固定する。なお従フランジ２４へのセンサ取付治具３６の固定は、その伸長方向が従フランジ２４の軸芯１８ａ方向と完全に一致している必要はなく、多少の誤差があってもよい。これは従フランジ２４と主フランジ２２とは次に説明するように一体的に軸回転するためである。
【００２３】
続いて、主フランジ２２と従フランジ２４とを一体的に軸回転させ、回転によっても対向させた両フランジ２２，２４に左右のずれがなくなるように台座７１上の固定座６３の水平面内での位置および方向を微調整する。この微調整は例えば固定座６３の側面を木槌によって軽く叩くことで行われる。
【００２４】
主フランジ２２と従フランジ２４とを一体的に軸回転させても両フランジ２２，２４の左右のずれがなくなるように、台座７１上の固定座６３の位置および方向を微調整した後には、センサ取付治具３６のセンサ取付部４４の貫通孔６９に、垂直測距センサ３２および水平測距センサ３４を嵌入固定する。そして主フランジ２２と従フランジ２４とを一体的に軸回転させ、垂直測距センサ３２で垂直面内でのフランジ外周縁（正確には主フランジ２２の鍔部２７の外周面）との距離を、水平測距センサ３４で水平面内でのフランジ外周縁（正確には主フランジ２２の鍔部２７の回転軸側の面）との距離を計測する。この計測値は表示装置３８の表示画面に数値で表示される。また各センサ３２，３４で計測した距離の変化は演算表示装置６５の表示画面にサインカーブ（正弦曲線）やその複合曲線で表示され、演算表示装置６５はそのデータを解析処理することで、原動機１２に固定された固定座６３の高さや傾き、水平方向の向きの調整量を求め、これを表示画面に表示する。
【００２５】
例えば、図３に示した斜視図でａ点、ｂ点、ｃ点、ｄ点の全てが低い、換言すれば図６に拡大して示したように原動機１２の回転軸１４の軸芯１４ａが動作機器１６の回転軸１８の軸芯１８ａと同一垂直面内の低い位置にあるとき、両フランジ２２，２４を一体的に軸回転させた際の垂直測距センサ３２の計測値は、センサ取付治具３６が上死点にあるときが最も大きく下死点にあるときが最も小さくなるように変化する一方、水平測距センサ３４の計測値にはほとんど変化がないこととなる。センサで計測した各距離の変化にこのような関係がある場合には、図６に記載した関係式から求めた厚みのライナーを固定座６３のａ〜ｄ点の各点下に挟み入れることで軸芯１４ａ，１８ａのセンタリングを行う。
【００２６】
また例えば、図３に示した斜視図でａ点およびｂ点が低い、換言すれば図７に拡大して示したように原動機１２の回転軸１４の軸芯１４ａが動作機器１６の回転軸１８の軸芯１８ａに対して同一垂直面内で（−θだけ）傾いているとき、両フランジ２２，２４を一体的に軸回転させた際の垂直測距センサ３２の計測値にはほとんど変化がない一方、水平測距センサ３４の計測値は、センサ取付治具３６が上死点にあるときが最も大きく下死点にあるときが最も小さくなるように変化することとなる。両センサ３２，３４で計測した各距離の変化にこのような関係がある場合には、図７に記載した関係式から求めた厚みのライナーを固定座６３のａ点およびｂ点の下に挟み入れることで軸芯１４ａ，１８ａのセンタリングを行う。
【００２７】
さらに例えば、図３に示した斜視図でｃ点およびｄ点が低い、換言すれば図８に拡大して示したように原動機１２の回転軸１４の軸芯１４ａが動作機器１６の回転軸１８の軸芯１８ａに対して同一垂直面内で（＋θだけ）傾いているとき、両フランジ２２，２４を一体的に軸回転させた際の垂直測距センサ３２の計測値にはほとんど変化がない一方、水平測距センサ３４の計測値は、センサ取付治具３６が上死点にあるときが最も小さく下死点にあるときが最も大きくなるように変化することとなる。両センサ３２，３４で計測した各距離の変化にこのような関係がある場合には、図８に記載した関係式から求めた厚みのライナーを固定座６３のｃ点およびｄ点の下に挟み入れることで軸芯１４ａ，１８ａのセンタリングを行う。この場合、正確に言えば原動機１２の回転軸１８先端の主フランジ２２の中心点は、動作機器１６の回転軸１８の軸芯１８ａからずれすることとなるが、そのずれは極僅かであるため図のように近似して考えることができる。
【００２８】
なお実際のセンタリング作業においては、原動機１２の回転軸１４の軸芯１４ａが動作機器１６の回転軸１８の軸芯１８ａに対して同一垂直面内で低い位置にあり、かつ、傾いていることが考えられるが、上述した調節手法を応用しその組み合わせによって、固定座６３の各点の下に挟み入れるべき厚みのライナーを選択することができる。
【００２９】
また上記の方法では対向させた両フランジ２２，２４の左右のずれ、すなわち水平面内での両フランジのずれの微調整は各センサ３２，３４を用いることなく行っているが、同様の要領で各センサによって計測した計測値を基にその微調整を行うようにしてもよい。
【００３０】
以上に説明したように本発明の軸継手のセンタリング方法および軸継手のセンタリング装置によれば、軸継手の２軸の芯出し（センタリング）を経験や感だけに頼ることなく行うことが可能となる。本発明では２軸のずれや傾きの量を簡易に求めることができるので、特に作業が難しくまた多くの労力を要していた垂直面内での２軸のずれや傾きの調整、すなわち固定座のどの部分にどれくらいの厚みのライナーを挟み入れる必要があるのかの判断を容易に行うことが可能となる。  
【００３１】
なお、本発明の構成は上述したものに限られるものではなく、発明の趣旨を逸脱しない範囲で適宜変更することができるのは勿論である。例えばセンサ取付治具をフランジの鍔部に固定するのではなく、フランジ自体や回転軸に固定するようにしてやることできる。またセンサ取付治具の固定を主フランジの鍔部に行い、両センサにより従フランジの外周縁との径方向距離および軸方向距離を計測するようにしてやることも勿論可能である。
【図面の簡単な説明】
【００３２】
【図１】本発明のセンタリング装置が適用される軸継手をの一例を示した斜視図である。
【図２】図１の軸継手のＸ−Ｘ断面図および平面図である。
【図３】本実施例の軸継手のセンタリング装置の全体構成を示した概念図である。
【図４】本実施例のセンサ取付治具の斜視図である。
【図５】本実施例のセンサ取付治具を軸継手に取り付けた状態を示した側面図である。
【図６】センサ取付治具を取り付けた軸継手を拡大して示した側面図である。
【図７】センサ取付治具を取り付けた軸継手を拡大して示した側面図である。
【図８】センサ取付治具を取り付けた軸継手を拡大して示した側面図である。
【符号の説明】
【００３３】
１２  原動機
１４，１８  回転軸
１４ａ，１８ａ  軸芯
１６  動作機器
２２  主フランジ
２３  対向面
２４  従フランジ
２５  回転軸面
２６  軸継手
２７  鍔部
３２  垂直測距センサ
３４  水平測距センサ
３６  センサ取付治具
３８  表示装置
４２  クランプ部
４４  センサ取付部
５１  ボルト・ナット
５３  ボルト穴
５５  突起部
５９  硬質ゴム
６１  回り止めワッシャ
６３  固定座
６５  演算表示装置
６７  治具取付ボルト
６９  貫通孔
７１  台座
【図１】
2008122351.tif 000003
【図２】
2008122351.tif 000004
【図３】
2008122351.tif 000005
【図４】
2008122351.tif 000006
【図５】
2008122351.tif 000007
【図６】
2008122351.tif 000008
【図７】
2008122351.tif 000009
【図８】
2008122351.tif 000010